(57)【要約】【課題】血糖値の変化を理解しやすく表示する。【解決手段】１日に複数回血糖値を測定した過去１カ月の各日の隣り合う２つの測定時刻により定まる各区間の血糖値の変化状態を示す線を、血糖値の変化が閾値より大きい場合には当該区間の線を赤色で、血糖値が減少している場合には当該区間の線を青色で、血糖値が減少していないが血糖値の変化が閾値以下の場合には当該区間の線を灰色で、同じ１つのグラフに表示する。ドクターは、朝方に赤色が密集していることが理解でき、当該患者の血糖値のコントロール状態の傾向を把握することができる。このように、血糖値の変化を理解しやすく表示することができる。【選択図】図７
2016133890.tif 000002
【特許請求の範囲】
【請求項１】
血糖値を複数回測定した一定期間内における前記血糖値の変化状態を表す情報を取得し、
前記取得した前記情報に基づいて、所定の血糖値の変化状態を表す区間における血糖値の推移を、当該区間以外の区間における血糖値の推移とは異なる表示態様で表示し、
前記一定期間は、複数の日を含み、
前記血糖値は各日において複数回測定され、
前記複数の日の各々に含まれる血糖値の推移を、時間軸を共通にして１つのグラフに表示する、
血糖値表示方法。
【請求項２】
前記区間は、前記血糖値の測定時刻により定まる、又は、食事との関係で定まる請求項１に記載の血糖値表示方法。
【請求項３】
前記食事との関係で定まる前記区間は、ある食事の前後の区間、ある食事の前から他の食事前までの区間、ある食事の前から他の食事後までの区間、ある食事の前から就寝前までの区間、ある食事の前から就寝後までの区間、ある食事の後から他の食事前までの区間、ある食事の後から他の食事後までの区間、ある食事の後から就寝前までの区間、ある食事の後から就寝後までの区間、就寝の前後の区間、就寝前からそれ以降の食事前までの区間、就寝前からその翌日の朝食前までの区間、就寝前からそれ以降の食事後までの区間、就寝前からそれ以降の就寝前までの区間、及び就寝前からそれ以降の就寝後までの区間の中から選択されたいずれかの区間である、
請求項２に記載の血糖値表示方法。
【請求項４】
前記血糖値を食事との関係でいつ測定したのかを示す食事関係情報を取得し、
前記取得した前記食事関係情報に基づいて、前記血糖値を食事との関係でいつ測定したのかを示す情報を、前記推移の表示に対応して表示する請求項１〜請求項３の何れか１項に記載の血糖値表示方法。
【請求項５】
前記変化状態は、前記区間における前記血糖値の変化と閾値とに基づいて定まる請求項１〜請求項４の何れか１項に記載の血糖値表示方法。
【請求項６】
前記所定の血糖値の変化状態を表す区間の全区間または一定の区間に対する割合を計算し、
前記計算された前記割合を表示する請求項１〜請求項５の何れか１項に記載の血糖値表示方法。
【請求項７】
前記計算された前記所定の血糖値の変化状態を表す区間の全区間または一定の区間に対する割合を記憶し、
前記所定の血糖値の変化状態を表す区間の割合を、前記一定期間より少なくとも１つ前の前記一定期間の前記記憶された割合と比較して表示する
請求項６に記載の血糖値表示方法。
【請求項８】
前記所定の血糖値の変化状態を示す表示態様を選択し、
前記選択された表示態様以外の表示態様を消去する
請求項１〜請求項７の何れか１項に記載の血糖値表示方法。
【請求項９】
前記表示態様は、直線又は曲線である請求項１〜請求項８の何れか１項に記載の血糖値表示方法。
【請求項１０】
前記所定の血糖値の変化状態として複数パターンの変化状態を想定し、各々の当該パターンに関し、当該変化状態を表す区間における血糖値の推移を、当該区間以外の区間における血糖値の推移とは異なる表示態様で表示する、請求項１〜９の何れか１項に記載の血糖値表示方法。
【請求項１１】
コンピュータに、
血糖値を複数回測定した一定期間内における前記血糖値の変化状態を表す情報を取得し、
前記取得した前記情報に基づいて、所定の血糖値の変化状態を表す区間における血糖値の推移を、当該区間以外の区間における血糖値の推移とは異なる表示態様で表示する
処理を実行させるための血糖値表示プログラムであって、
前記一定期間は、複数の日を含み、
前記血糖値は各日において複数回測定され、
前記複数の日の各々に含まれる血糖値の推移を、時間軸を共通にして１つのグラフに表示する、
血糖値表示プログラム。
【請求項１２】
請求項１１に記載の血糖値表示プログラムを記録した記録媒体。
【請求項１３】
血糖値を複数回測定した一定期間内における前記血糖値の変化状態を表す情報を取得する取得手段と、
前記取得した前記情報に基づいて、所定の血糖値の変化状態を表す区間における血糖値の推移を、当該区間以外の区間における血糖値の推移とは異なる表示態様で表示する表示手段と、
を備える血糖値表示装置であって、
前記一定期間は、複数の日を含み、
前記血糖値は各日において複数回測定され、
前記複数の日の各々に含まれる血糖値の推移を、時間軸を共通にして１つのグラフに表示する、
血糖値表示装置。
【発明の詳細な説明】
【技術分野】
【０００１】
本発明は、血糖値表示方法、プログラム、装置、及び記録媒体に関する。
【背景技術】
【０００２】
従来、体重の変化傾向を表示する健康管理支援システムが提案されている（特許文献１（図９））。健康管理支援システムでは、１つの画面に、過去３０日間の体重変化の傾向を矢印表示１、過去７日間の体重変化の傾向を矢印表示２、過去３日間の体重変化の傾向を矢印表示３、及び当日の体重変化の傾向を矢印表示４で同時に横に並んで表示する。
【先行技術文献】
【特許文献】
【０００３】
【特許文献１】国際特許出願公開第２００６／０７０８２７号公報
【発明の概要】
【発明が解決しようとする課題】
【０００４】
しかしながら、従来、血糖値の変化状態を理解しやすく表示するシステムは提案されていない。
本願発明は、１つの側面として、血糖値の変化状態を理解しやすく表示することが目的である。
【課題を解決するための手段】
【０００５】
上記目的達成するため請求項１に記載の血糖値表示方法は、血糖値を複数回測定した一定期間内における前記血糖値の変化状態を表す情報を取得する。前記取得した前記情報に基づいて、所定の血糖値の変化状態を表す区間における血糖値の推移を、当該区間以外の区間における血糖値の推移とは異なる表示態様で表示する。前記一定期間は、複数の日を含む。前記血糖値は各日において複数回測定される。前記複数の日の各々に含まれる血糖値の推移を、時間軸を共通にして１つのグラフに表示する。
従って、例えば、所定の血糖値の変化状態を表す区間における血糖値の推移が、当該区間以外の区間における血糖値の推移とは区別されて認識するようにすることができる。ここで、所定の血糖値の変化状態は、限定を意図せず、例えば、予め決定ないし想定された血糖値の変化のありさまであり得、例えば、当該グラフ表示を利用する医師等のユーザが特定を希望する変化状態等が挙げられ、さらに、例えば、ユーザにより予め設定された基準に従う変化状態等が挙げられる。よって、このような例において、本発明によれば、単純に複数の期間の血糖値推移を重ね合わせた場合と異なり、例えば、ユーザが希望する血糖値の変化状態を、一見して把握できるように表示することができる。
【０００６】
請求項２に記載の発明の血糖値表示方法は、請求項１に記載の発明において、前記区間は、前記血糖値の測定時刻により定まる、又は、食事との関係で定まる。
前記区間が、前記血糖値の測定時刻により定まることにより、例えば、血糖値を測定した測定時刻との関係で、血糖値の変化状態を理解しやすく表示することができる。他方、前記区間が、食事との関係で定まることにより、例えば、被測定者の血糖値のコントロール状態に一定の現象、例えば、ソモジー効果や暁現象が生じているか否かを理解しやすくなる。
【０００７】
請求項３に記載に発明の血糖値表示方法は、請求項２に記載の発明において、前記食事との関係で定まる前記区間は、ある食事の前後の区間、ある食事の前から他の食事前までの区間、ある食事の前から他の食事後までの区間、ある食事の前から就寝前までの区間、ある食事の前から就寝後までの区間、ある食事の後から他の食事前までの区間、ある食事の後から他の食事後までの区間、ある食事の後から就寝前までの区間、ある食事の後から就寝後までの区間、就寝の前後の区間、就寝前からそれ以降の食事前までの区間、就寝前からその翌日の朝食前までの区間、就寝前からそれ以降の食事後までの区間、就寝前からそれ以降の就寝前までの区間、及び就寝前からそれ以降の就寝後までの区間の中から選択されたいずれかの区間である。
選択された区間に注目することができるので、例えば、被測定者の血糖値のコントロール状態に選択された区間に特有な現象が生じているか否かをより理解しやすくなる。
【０００８】
請求項４に記載に発明の血糖値表示方法は、請求項１〜請求項３の何れか１項に記載の発明において、前記血糖値を食事との関係でいつ測定したのかを示す食事関係情報を取得し、前記取得した前記食事関係情報に基づいて、前記血糖値を食事との関係でいつ測定したのかを示す情報を、前記線に対応して表示する。
例えば、被測定者の血糖値のコントロール状態に一定の現象、例えば、ソモジー効果や暁現象が生じているか否かを理解しやすくなる。
【０００９】
請求項５に記載に発明の血糖値表示方法は、請求項１〜請求項４の何れか１項に記載の発明において、前記変化状態は、前記区間における前記血糖値の変化と閾値とに基づいて定まる。
【００１０】
請求項６に記載に発明の血糖値表示方法は、請求項１〜請求項５の何れか１項に記載の発明において、前記所定の血糖値の変化状態を表す区間の全区間または一定の区間に対する割合を計算し、前記計算された前記割合を表示する。
例えば、血糖値の変化状態を割合により理解しやすく表示することができる。
【００１１】
請求項７に記載に発明の血糖値表示方法は、請求項６に記載の発明において、前記計算された前記所定の血糖値の変化状態を表す区間の全区間または一定の区間に対する割合を記憶し、前記所定の血糖値の変化状態を表す区間の割合を、前記一定期間より少なくとも１つ前の前記一定期間の前記記憶された割合と比較して表示する。
所定区間の割合を、少なくとも１つ前の一定期間の所定区間の割合と比較して理解できるので、例えば、血糖値の変化状態をより理解しやすく表示することができる。
【００１２】
請求項８に記載に発明の血糖値表示方法は、請求項１〜請求項７の何れか１項に記載の発明において、前記所定の血糖値の変化状態を示す表示態様を選択し、前記選択された表示態様以外の表示態様を消去する。
注目したい表示態様のみを見ることができるので、例えば、血糖値の変化状態をより理解しやすく表示することができる。
【００１３】
請求項９に記載に発明の血糖値表示方法は、請求項１〜請求項８の何れか１項に記載の発明において、前記表示態様は、直線又は曲線としている。
請求項１０に記載に発明の血糖値表示方法は、請求項１〜請求項９の何れか１項に記載の発明において、前記所定の血糖値の変化状態として複数パターンの変化状態を想定し、各々の当該パターンに関し、当該変化状態を表す区間における血糖値の推移を、当該区間以外の区間における血糖値の推移とは異なる表示態様で表示する。
【００１４】
前記表示態様は、例えば、血糖値の推移を表す線の色、外形、及び点滅状態を変えることにより異ならせることができる。なお、外形は、線の太さや区間内の線の切断状態により異ならせることができる。
【００１５】
請求項１１に記載の血糖値表示プログラムは、コンピュータに、血糖値を複数回測定した一定期間内における前記血糖値の変化状態を表す情報を取得し、前記取得した前記情報に基づいて、所定の血糖値の変化状態を表す区間における血糖値の推移を、当該区間以外の区間における血糖値の推移とは異なる表示態様で表示する処理を実行させる。前記一定期間は、複数の日を含む。前記血糖値は各日において複数回測定される。前記複数の日の各々に含まれる血糖値の推移を、時間軸を共通にして１つのグラフに表示する。請求項１１の発明は、請求項１の発明と同様な作用及び効果を奏するので、その説明を省略する。
【００１６】
請求項１２に記載の発明は、請求項１１に記載の血糖値表示プログラムを記録した記録媒体である。請求項１２の発明は、請求項１の発明と同様な作用及び効果を奏するので、その説明を省略する。
【００１７】
請求項１３に記載の発明の血糖値表示装置は、血糖値を複数回測定した一定期間内の血糖値の変化状態を表す情報を取得する取得手段と、前記取得した前記情報に基づいて、所定の血糖値の変化状態を表す区間における血糖値の推移を、当該区間以外の区間における血糖値の推移とは異なる表示態様で表示する表示手段と、を備える。前記一定期間は、複数の日を含む。前記血糖値は各日において複数回測定される。前記複数の日の各々に含まれる血糖値の推移を、時間軸を共通にして１つのグラフに表示する。請求項１３の発明は、請求項１の発明と同様な作用及び効果を奏するので、その説明を省略する。
【発明の効果】
【００１８】
本願発明は、１つの側面として、血糖値の変化状態を理解しやすく表示することができる、という効果を有する。
【図面の簡単な説明】
【００１９】
【図１】第１の実施の形態の血糖値表示システムを示す図である。
【図２】血糖値測定器１０のブロック図である。
【図３】血糖値表示装置３０のブロック図である。
【図４】血糖値測定器１０の記憶装置１８に設けられたデータテーブル５０を示す図である。
【図５】血糖値表示装置３０の記憶装置４６に設けられた管理テーブル６０を示す図である。
【図６】血糖値表示装置３０の記憶装置４６に記憶された血糖値表示プログラムのフローチャートである。
【図７】血糖値のグラフである。
【図８】第１の変形例の血糖値表示装置３０の記憶装置４６に記憶された血糖値表示プログラムのフローチャートである。
【図９】閾値減少指示ボタン９６を表示すると共に赤色区間が表示されなかった様子を示す血糖値のグラフである。
【図１０】閾値減少指示ボタン９６を表示すると共に閾値減少指示ボタン９６がオンされて閾値が変更されて赤色区間が表示された様子を示す血糖値のグラフである。
【図１１】キーボード１６の選択キー１６Ａがオンされた場合に血糖値測定器１０の表示装置１４の表示画面に表示される測定タイミング選択画面１００を示す図である。
【図１２】血糖値測定器１０の記憶装置１８内に設けられたデータテーブル５０Ａを示す図である。
【図１３】第２の変形例における管理テーブル６０Ａを示す図である。
【図１４】第２の変形例における図６のステップ８８により表示されると共に食事前後に応じてプロットを白抜き又は黒で塗潰した血糖値のグラフを示す図である。
【図１５】第３の変形例における血糖値測定器１０の記憶装置１８内に設けられたデータテーブル５０Ｂを示す図である。
【図１６】第３の変形例における図６のステップ８８により表示されると共に食事時刻を表示した血糖値のグラフを示す図である。
【図１７】第２の実施の形態における血糖値表示装置３０の記憶装置４６内に設けられた先月分の各割合を記憶した割合テーブル１１０を示す図である。
【図１８】（Ａ）は、血糖値表示装置３０の記憶装置４６内に設けられた朝食前後管理テーブル１５０ｑ１を、（Ｂ）は、記憶装置４６内に設けられた朝食前昼食前管理テーブル１５０ｑ２を、（Ｃ）は、記憶装置４６内に設けられた夕食後朝食前管理テーブル１５０ｑ３を示す図である。
【図１９】血糖値表示装置３０の記憶装置４６に記憶された割合計算処理プログラムのフローチャートである。
【図２０】血糖値表示装置３０の表示装置３２に表示される割合表示画面１５２を示す図である。
【図２１】第３の実施の形態における血糖値表示装置３０の表示装置３２に表示される区間選択画面１５４を示す図である。
【図２２】血糖値表示装置３０の記憶装置４６に記憶された血糖値表示プログラムのフローチャートである。
【図２３】血糖値表示装置３０の記憶装置４６に記憶された区間管理テーブル１８０を示す図である。
【図２４】１ヶ月の各日における朝食前後の区間の血糖値の変化状態を示す線が赤色で表示した血糖値のグラフである
【図２５】第４の実施形態の血糖値表示装置３０の記憶装置４６に記憶された線消去プログラムのフローチャートである。
【図２６】（Ａ）は、残す線以外の線が消去される前の、図７に対応する血糖値のグラフであり、（Ｂ）は、残す線以外の線が消去された後の血糖値のグラフである。
【図２７】（Ａ）は、残す線以外の線が消去される前の、図２４に対応する血糖値のグラフであり、（Ｂ）は、残す線以外の線が消去された後の血糖値のグラフである。
【図２８】（Ａ）は、「暁現象」か「ソモジー効果」の発生を予測する患者の血糖値のグラフであり、（Ｂ）は、「暁現象」や「ソモジー効果」の発生を予測しない患者の血糖値のグラフである。
【図２９】第５の実施形態の血糖値表示装置３０の記憶装置４６に記憶された判定処理プログラムのフローチャートである。
【発明を実施するための形態】
【００２０】
以下、図面を参照しての実施の形態の一例を詳細に説明する。
[第１の実施の形態]
図１には、第１の実施の形態の血糖値表示システムが示されている。本の実施の形態の血糖値表示システムは、血糖値測定器１０と、血糖値表示装置３０と、を備えている。血糖値測定器１０は、血糖値を測定するセンサ１２、測定結果（測定時刻、名前、血糖値（ｍｇ／ｄｌ））を表示する液晶表示装置（ＬＣＤ）等の表示装置１４、及びキーボード（keyboard）１６を備えている。キーボード１６には、選択キー１６Ａ、上昇キー１６Ｂ、下降キー１６Ｃが設けられている。
【００２１】
血糖値表示装置３０は、血糖値のグラフを表示する表示装置３２、コンピュータ本体３４、キーボード３６、及びマウス３８を備えている。
【００２２】
図２には、血糖値測定器１０のブロック図が示されている。血糖値測定器１０は、上述したセンサ１２、表示装置１４、及びキーボード１６が接続されかつ図示しないＣＰＵ（中央処理装置：Central Processing Unit）、ＲＯＭ（Read Only Memory）、及びＲＡＭ（Random Access Memory）等を備えたマイクロコンピュータ２２を備えている。マイクロコンピュータ２２には、記憶装置１８及びデータ出力装置２０が接続されている。
【００２３】
図３には、血糖値表示装置３０のブロック図が示されている。血糖値表示装置３０は、上述した表示装置３２、キーボード３６、及びマウス（mouse）３８がバス４１を介して相互に接続されている。バス４１には、ＣＰＵ４０、ＲＯＭ４２、ＲＡＭ４４、記憶装置４６、インタフェース（Ｉ／Ｆ）４８が接続されている。表示装置３２には、液晶表示装置（ＬＣＤ）、ブラウン管（ＣＲＴ）、有機エレクトロルミネセンス表示装置（ＯＥＬＤ）、プラズマディスプレイパネル（ＰＤＰ）、電界放出ディスプレイ（ＦＥＤ）等が適用できる。なお、表示装置３２は、「表示手段」の１例であり、ＣＰＵ４０は、「取得手段」の１例である。
【００２４】
図４には、血糖値測定器１０の記憶装置１８に設けられたデータテーブル５０が示されている。データテーブル５０には、一定期間、例えば、１ヶ月の間の各日の日付、各日において血糖値を測定した時刻、測定して得られた血糖値を記憶するための領域が設けられている。本の実施の形態では、１日に複数回、例えば、６回、血糖値を測定する。日付の領域には、血糖値を測定した時刻の６つの時刻データ、及び各時刻で測定して得られた血糖値の血糖値データを記憶する領域が設けられている。データテーブル５０には、上記領域が１ヶ月分、例えば、１１月１日〜１１月３０日分設けられている。
【００２５】
図５には、血糖値表示装置３０の記憶装置４６に設けられた管理テーブル６０が示されている。管理テーブル６０には、１ヶ月の間の各日の日付、血糖値を測定した時刻、測定して得られた血糖値、及び色を記憶するための領域が設けられている。なお、管理テーブル６０は、「記憶手段」の１例である。
【００２６】
次に、第１の実施の形態の作用を説明する。
上記のように、患者は、１日に、６回、図示しない穿刺具により穿刺された指先から出た血液から血糖値測定器１０のセンサ１２（図２参照）により血糖値を測定する。センサ１２により血糖値が測定されると、マイクロコンピュータ２２は、記憶装置１８内のデータテーブル５０（図４参照）に、血糖値を測定した日の日付に対応する時刻の領域に、血糖値を測定した時刻と測定した血糖値の血糖値データとを記憶する。このように、血糖値を１日に６回測定することを１ヶ月分行う。よって、データテーブル５０には、１ヶ月分の各時刻のデータ及び血糖値データが記憶されている。そして、１ヶ月分の上記データがデータテーブル５０に記憶されたセンサ１２が、血糖値表示装置３０のコンピュータ本体３４に設けられた図示しない挿入口に挿入されると、血糖値測定器１０のデータ出力装置２０から、血糖値表示装置３０のＩ／Ｆ４８を介して、データテーブル５０内の各データが血糖値表示装置３０に入力される。入力された各データは、記憶装置４６内の管理テーブル６０の時刻及び血糖値に対応する領域に記憶される。よって、図５に示すように、管理テーブル６０には、図４に示すデータテーブル５０の各日の各時刻及び血糖値のデータと同一のデータが記憶される。
【００２７】
図６には、血糖値表示装置３０の記憶装置４６（又はＲＯＭ４２）に記憶された血糖値表示プログラムのフローチャートが示されている。血糖値表示プログラムのスタートの指示があると、ＣＰＵ４０は、記憶装置４６（又はＲＯＭ４２）から血糖値表示プログラムを読み出してＲＡＭ４４に展開し、以下に説明する血糖値表示処理７０の各処理を実行する。
【００２８】
ステップ７２で、管理テーブル６０（図５）内の１ヶ月の間の中で最も古い測定時刻から順に時刻データを識別する変数ｔを０に初期化し、ステップ７４で、ｔを１インクリメントする。よって、例えば、ｔ＝１で、１１月１日の６：３０が識別される。
【００２９】
ステップ７６で、時刻ｔで測定された血糖値データＤｔと時刻ｔより１つ前の時刻ｔ−１で測定された血糖値データＤｔ−１との差ΔＤｔ  を計算する。ステップ７８で、ΔＤｔと予め定められた閾値ｄｔｈとを比較する。なお、閾値ｄｔｈは、デフォルト値として、例えば、５０ｍｇ／ｄｌと定められている。ΔＤｔが閾値より大きい場合（ΔＤｔ＞ｄｔｈ）には、ステップ８０で、隣り合う２つの時刻により定まる区間、即ち、時刻ｔ−１から時刻ｔまでの区間において血糖値が閾値ｄｔｈより多く増加しているので、当該区間の色として赤を記憶する。ΔＤｔが０より小さい場合（ΔＤｔ＜０）には、ステップ８２で、時刻ｔ−１から時刻ｔまでの区間において血糖値が減少しているので、当該区間の色として青を記憶する。ΔＤｔが０以上で閾値ｄｔｈ以下の場合（０≦ΔＤｔ≦ｄｔｈ）には、ステップ８４で、時刻ｔ−１から時刻ｔの区間の色として灰色を記憶する。
【００３０】
例えば、時刻ｔ＝２で、１１月１日の９：００が識別される場合には、図５に示すように、差ΔＤｔは、２８０−３５０＝−７０（ｍｇ／ｄｌ）であるので、ステップ８２に進み、領域６０ＫＩに青を記憶する。
【００３１】
ステップ８６で、変数ｔが、１ヶ月内の時刻データの総数Ｔに等しいか否かを判断する。変数ｔが総数Ｔと判断されなかった場合には、いまだ差ΔＤｔを計算しておらず色が特定されていない区間があるので、ステップ７４に戻って、以上の処理（ステップ７４〜８６）を実行する。変数ｔがＴに等しい場合には、全ての区間について差ΔＤｔを計算して色が特定されたので、ステップ８８で、過去１ヶ月の間の各日の血糖値の変化を一本の線とし、各線の各区間を、管理テーブル６０に記憶された色とし、線を同じ１つのグラフに時間軸を共通にして表示して、本血糖値表示処理を終了する。なお、線は、血糖値の推移の１例である。
【００３２】
ステップ８８では、具体的には、まず、図５に示す管理テーブル６０の内容を、即ち、各区間の時刻、各時刻の血糖値、及び各区間の線の色の情報を取得する。なお、このように管理テーブル６０の内容を取得する動作は、取得手段の動作の１例である。
そして、ステップ８８では、取得した情報に基づいて、例えば、１１月１日の時刻データ及び血糖値データから、６：３０と血糖値３５０（ｍｇ／ｄｌ）とに対応する点ｐ１をプロットする。９：００と血糖値２８０（ｍｇ／ｄｌ）とに対応する点ｐ２をプロットする。１１：３０と血糖値１８０（ｍｇ／ｄｌ）とに対応する点ｐ３をプロットする。１５：００と血糖値２７０（ｍｇ／ｄｌ）とに対応する点ｐ４にプロットする。１８：００と血糖値３３０（ｍｇ／ｄｌ）とに対応する点ｐ５にプロットする。２２：００と血糖値１９０（ｍｇ／ｄｌ）とに対応する点ｐ６にプロットする。点ｐ１〜点ｐ２までの区間に対応する領域６０ＫＩには青が記憶されているので、プロットした点ｐ１と点ｐ２との間を青色にする。時刻１１：３０〜１５：００の区間に対応して赤が記憶されているので、図７では、点ｐ３と点ｐ４との間を赤で表示する。また、別の日の時刻１１：３０〜１５：００の区間に対応して灰色が記憶されているので、図７では、点ｐ３と点ｐ４との間を灰色で表示する。なお、図７では、青を点線で、赤を実線で、灰色を１点鎖線で表示している。他の区間についても、同様に、管理テーブル６０の各区間に対応して記憶された色に対応する色とする。なお、血糖値のグラフを表示することは、表示手段の動作の１例である。
【００３３】
次に、第１の実施の形態の効果を説明する。
第１の実施の形態では、血糖値のグラフに血糖値の変化状態に応じて、当該変化状態に対して予め定められた色で、血糖値の変化状態を示す各区間の線を表示する。具体的には、時間的に隣り合う血糖値のプロットの間を直線で結ぶ際、前の値と後の値の差が指定した閾値以上増加していれば区間の線を赤で表示し、減少していれば青で表示し、どちらでもなければ灰色で表示する。このように、第１の実施の形態によれば、患者の血糖コントロールの良し悪しをドクターが視覚的に捉えることができる表示を提供することができる。よって、血糖値の変化状態を理解しやすく表示することができる。
【００３４】
また、第１の実施の形態では、１日に複数回測定した血糖値の変化状態を１本の線とし、１ヶ月間分、時間軸を共通にして１つのグラフに重ね合わせて表示しているので、ある時間帯の血糖値のバラつきではなく、血糖値の変動の傾向を視覚的に把握できる。例えば、図７に示すように、赤色の区間が前日から６：３０までの区間で密集していること、青色の区間が６：３０から９：００までの区間で密集していることを、視覚的に把握できる。よって、第１の実施の形態では、患者の血糖値のコントロールの傾向をドクターが視覚的に捉えることができる表示を提供することができる。
このように、第１の実施の形態は、患者の管理上極めて有用である。
【００３５】
血糖値の変化状態をドクターが認識できるので、ドクターは、患者の血糖値のコントロール状態を把握（診断）することができる。そして、ドクターは、把握した患者の血糖値のコントロール状態に基づいて、責任インスリン（基礎インスリン）等のインスリンの処方態様、例えば、インスリンの処方量及びインスリンの処方のタイミングを決定することができる。このように、第１の実施の形態では、診断方法及びインスリン処方態様決定方法が提案される。
【００３６】
上記のように、閾値ｄｔｈは、デフォルト値として、例えば、５０ｍｇ／ｄｌと定められている。しかし、各患者に対応して定めてもよい。例えば、血糖値測定器１０の記憶装置１８に、患者の識別データを記憶し、血糖値表示装置３０の記憶装置４６には、複数の患者のそれぞれの識別データに対応して個別の閾値を記憶する。血糖値測定器１０のデータ出力装置２０は、血糖値表示装置３０に、患者の識別データを出力する。血糖値表示装置３０は、図６のステップ７６を実行する際、患者の識別データに基づいて、対応する閾値を読み出して、これを用いる。
【００３７】
[第１の実施の形態の変形例]
（第１の変形例）
次に第１の変形例を説明する。第１の変形例の構成は、第１の実施の形態と同様であるので、その説明を省略する。第１の変形例の作用は、第１の実施の形態とほぼ同様であるので、以下、異なる部分についてのみ説明する。なお、血糖値表示装置３０のＣＰＵ４０は、「変化手段」の１例である。
【００３８】
図８には、ドクターが閾値をマニュアルで減少させる処理ことを含む、血糖値表示装置３０の記憶装置４６（又はＲＯＭ４２）に記憶された血糖値表示プログラムのフローチャートが示されている。血糖値表示プログラムのスタートの指示があると、血糖値表示装置３０のＣＰＵ４０は、記憶装置４６（又はＲＯＭ４２）から血糖値表示プログラムを読み出してＲＡＭ４４に展開し、以下に説明する各処理を実行する。
【００３９】
ステップ７０で、上記血糖値表示処理７０を実行する。例えば、自身でインスリンを分泌できない１型の患者の場合には、図７に示すように、赤色区間が存在するはずである。しかし、図９に示すように、赤色区間がなく、青色区間又は灰色区間のみが表示される場合がある。これは、デフォルト値として予め定めた閾値が大きすぎることが考えられる。よって、閾値を減少させる必要がある。そこで、第１の変形例では、図９及び図１０に示すように、血糖値のグラフを表示する画面の一部に、閾値減少指示ボタン９６を表示する。
【００４０】
ステップ７０で血糖値表示処理を実行して、血糖値のグラフを表示した後、ステップ９２で、閾値減少指示ボタン９６がオンされたか否かを判断する。上記のように、血糖値表示処理７０が実行されたにもかかわらず、図９（Ａ）に示すように、赤色区間が表示されなかった場合には、ドクターは、閾値減少指示ボタン９６をオンする。このように、ドクターにより閾値減少指示ボタン９６がオンされると、図８のステップ９２の判断が肯定される。ステップ９２の判断が肯定されると、ステップ９４で、閾値ｄｔｈから所定値ｄ０（例えば、５ｍｇ／ｄｌ）を減算した値を、閾値ｄｔｈとして設定し、ステップ７０に戻る。ステップ７０の血糖値表示処理では、新たに設定された閾値ｄｔｈを用いて、上記処理が実行される。よって、例えば、図１０に示すように、赤色の区間が表示される場合がある。なお、ステップ９４は、変化手段の動作の１例である。
【００４１】
このように、第１の変形例では、患者に合わせて閾値を調整できるので、各患者に沿った血糖値のグラフを表示することができる。
【００４２】
そして、血糖値の変化状態をドクターが認識できるので、ドクターは、患者の血糖値のコントロール状態を把握（診断）することができる。そして、ドクターは、把握した患者の血糖値のコントロール状態に基づいて、インスリンの処方態様、例えば、インスリンの処方量及びインスリンの処方のタイミングを決定することができる。このように、第１の変形例では、診断方法及びインスリン処方態様決定方法が提案される。
【００４３】
なお、閾値減少指示ボタン９６に代え又は閾値減少指示ボタン９６と共に図示しない閾値増加指示ボタンを表示し、閾値増加指示ボタンがオンされた場合、閾値ｄｔｈから所定値ｄ０（例えば、５ｍｇ／ｄｌ）を増加した値を、閾値ｄｔｈとして設定し、ステップ７０に戻るようにしてもよい。
【００４４】
（第２の変形例）
次に、第２の変形例を説明する。第２の変形例の構成は、第１の実施の形態と以下の点以外は同様であるので、その詳細な説明を省略する。第１の実施の形態では、血糖値の測定と食事との関連性はないが、第２の変形例は、血糖値測定器１０が測定時刻及び血糖値データと共に、朝食前、朝食後等の食事との関係で測定タイミングを記憶するものである。具体的には、キーボード１６の選択キー１６Ａがオンされると、血糖値測定器１０の表示装置１４（図１）の表示画面には、図１１に示す測定タイミング選択画面１００が表示される。測定タイミング選択画面１００には、朝食前、朝食後、昼食前、昼食後、夕食前、及び夕食後の測定タイミングの項目が表示される。患者は、上昇キー１６Ｂ又は下降キー１６Ｃを用いて測定タイミングの項目を選択し、選択キー１６Ａを再度オンすることにより、血糖値を測定したタイミングが、朝食前から夕食後の何れかが選択される。
【００４５】
図１２には、血糖値測定器１０の記憶装置１８内に設けられたデータテーブル５０Ａが示されている。データテーブル５０Ａは、データテーブル５０（図４）とほぼ同様であるが、上記のように測定タイミングとして食事前後の何れかを記憶するための領域が設けられている。例えば、１１月１日の６：３０に血糖値を測定したのが朝食前であれば、測定タイミング選択画面１００から朝食前が選択され、食事前後の測定タイミングを記憶する領域５０Ａ１に、朝食前を記憶する。以下同様に、各測定時刻において、時刻データ、血糖値データ、及び食事前後の測定タイミングを記憶する。
【００４６】
図１３には、第２の変形例における管理テーブル６０Ａが示されている。管理テーブル６０Ａと管理テーブル６０（図５）とを比較すると、食事前後の測定タイミングを記憶するための行６０ＡＡが設けられている点で相違する。
【００４７】
第２の変形例の作用は、第１の実施の形態とほぼ同様であるので、以下、異なる部分についてのみ説明する。図１４には、第２の変形例における図６のステップ８８により表示される血糖値のグラフが示されている。第２の変形例では、図６のステップ８８で、図１４に示すように、時刻データと血糖値データとに対応する点の表示態様を、食事前では、白抜きで表示し、食事後であれば黒色に塗潰すように表示する。なお、図１４は、白抜きは食事前であること、及び黒色の塗潰しは食後であることの説明も表示される。なお、白抜きで及び黒色に塗潰された点は、「食事関係情報」の一例である。
【００４８】
このように、各プロットが食事前後の何れかであることをドクターが認識できるので、例えば、朝食前の区間に赤色区間が密集して、ソモジー効果や暁現象などの現象が生じていることをドクターが認識できる表示を提供することができる。よって、ドクターは、患者の血糖値のコントロール状態を把握（診断）することができる。
【００４９】
そして、ドクターは、把握した患者の血糖値のコントロール状態に基づいて、インスリンの処方態様、例えば、インスリンの処方量及びインスリンの処方のタイミングを決定することができる。このように、第２の変形例では、診断方法及びインスリン処方態様決定方法が提案される。
【００５０】
なお、食事前後の測定タイミングについては、患者が食事前後の測定タイミングをメモし、当該メモの内容を係員がキーボード３６等で入力してもよい。
【００５１】
（第３の変形例）
次に、第３の変形例を説明する。
【００５２】
第３の変形例の構成は、前述した第１の実施の形態の構成と以下の点以外同様であるのでその詳細な説明を省略する。図１５には、第３の変形例における血糖値測定器１０の記憶装置１８内に設けられたデータテーブル５０Ｂが示されている。データテーブル５０Ｂには、日付、時刻、及び血糖値のデータを記憶する領域の他に、食事時刻を記憶するための領域の行５０ＢＢが設けられている。
【００５３】
次に、第３の変形例の作用を説明する。第３の変形例の作用は、第１の実施の形態の作用とほぼ同様であるので、異なる部分のみを説明する。
【００５４】
第３の変形例では、血糖値測定器１０におけるキーボード１６の選択キー１６Ａがオンされると、血糖値測定器１０は、選択キー１６Ａがオンされた時刻を、食事をした時刻として、データテーブル５０Ｂに記憶する。例えば、患者が８：３０に食事をして、選択キー１６Ａをオンにした場合、血糖値測定器１０は、時刻の領域に８：３０を、時刻の領域に領域５０Ｂ１に、８：３０に対応して食事したことを示す○を記憶する。
【００５５】
血糖値測定器１０の記憶装置１８内に設けられたデータテーブル５０Ｂの内容は、血糖値表示装置３０のＩ／Ｆ４８を介して、記憶装置４６内の管理テーブル６０にも記憶される。
【００５６】
そして、第３の変形例における図６のステップ８８では、図１６に示すように、管理テーブル６０に記憶された食事時刻を符号Ｌ１、Ｌ２、Ｌ３で示すように、朝食、８：３０、昼食、１４：００、夕食、２０：３０のように合わせて表示する。なお、朝食、８：３０等は、「食事関係情報」の一例である。
【００５７】
第３の変形例は、第２の変形例と同様な効果を有する。そして、第３の変形例でも、第２の変形例で説明した上記診断方法及び上記インスリン処方態様決定方法が提案される。
【００５８】
なお、食事時刻については、患者が食事時間をメモし、当該メモの内容を係員がキーボード３６等で入力してもよい。
【００５９】
第１の変形例〜第３の変形例は、以下に説明する第２の実施の形態〜第４の実施の形態に同様に適用することができる。
【００６０】
[第２の実施の形態]
次に、第２の実施の形態を説明する。第２の実施の形態の構成は、前述した第１の実施の形態の第２の変形例とほぼ同様であり、以下の点で異なる。なお、血糖値表示装置３０のＣＰＵ４０は、「計算手段」の１例である。
【００６１】
図１７には、血糖値表示装置３０の記憶装置４６内に設けられた先月分の各割合を記憶した割合テーブル１１０が示されている。割合テーブル１１０には、各色区間数の１ヶ月全体の総区間数に対する割合、及び朝食前後の区間の各色区間数の１ヶ月の当該朝食前後の区間の総区間数に対する割合を記憶する領域が設けられている。また、割合テーブル１１０には、朝食前から昼食前の区間の各色区間数の１ヶ月の当該朝食前から昼食前の区間の総区間数に対する割合が設けられている。更に、割合テーブル１１０には、夕食後から次の日の朝食前の区間の各色区間数の１ヶ月の当該食後から次の日の朝食前の区間の総区間数に対する割合を記憶する領域が設けられている。なお、割合テーブル１１０は、「割合記憶手段」の一例である。上記１ヶ月は、「全区間」の一例である。なお、割合の基準となる期間は、１ヶ月でなく、例えば、１週間や２週間でもよい。なお、この場合の１週間や２週間は、「一定の区間」の一例である。
【００６２】
図１８（Ａ）には、血糖値表示装置３０の記憶装置４６内に設けられた朝食前後管理テーブル１５０ｑ１が示されている。朝食前後管理テーブル１５０ｑ１は、朝食前後を区間とした場合の、各日の当該区間の色を記憶するためのテーブルである。図１８（Ｂ）には、上記記憶装置４６内に設けられた朝食前昼食前管理テーブル１５０ｑ２が示されている。朝食前昼食前管理テーブル１５０ｑ２は、朝食前から昼食前を一つの区間とした場合の、各日の当該区間の色を記憶するためのテーブルである。図１８（Ｃ）には、上記記憶装置４６内に設けられた夕食後朝食前管理テーブル１５０ｑ３が示されている。夕食後朝食前管理テーブル１５０ｑ３は、夕食後から次の日の朝食前を１区間とした場合の、各日の当該区間における色を記憶するためのテーブルである。
【００６３】
次に、第２の実施の形態の作用を説明する。第２の実施の形態の作用は、第１の実施の形態の第２の変形例とほぼ同様であり、以下の内容が更に含まれる点で異なる。
【００６４】
図１９には、例えば、図１４のグラフが表示されている状態で、図示しない割合ボタンがオンされるとスタートする血糖値表示装置３０の記憶装置４６に記憶された割合計算処理プログラムが示されている。割合計算処理プログラムのスタートの指示があると、血糖値表示装置３０のＣＰＵ４０は、記憶装置４６（又はＲＯＭ４２）から、割合計算処理プログラムを読み出してＲＡＭ４４に展開し、以下に説明する各処理を実行する。
【００６５】
詳細には後述するが、割合計算処理プログラムでは、次の４つの異なる第１の割合〜第４の割合を計算する。第１の割合は、今月の全区間数に対する各色の区間数の割合である。第２の割合は、今月の全区間数に対する朝食前後の各色の区間数の割合である。第３の割合は、今月の全区間数に対する朝食前から昼食前の各色の区間数の割合である。第４の割合は、今月の全区間数に対する夕食後から次の日の朝食前の各色の区間数の割合である。
【００６６】
図１９に示す割合計算処理プログラムがスタートすると、ステップ１１２で、上記の赤、青、灰色の各色を識別する変数ｃを０に初期化し、ステップ１１４で、変数ｃを１インクリメントする。
【００６７】
ステップ１１６で、第１の割合を計算する。即ち、管理テーブル６０Ａ（図１３）において色ｃの区間を１ヶ月分カウントして、今月の全区間数に対する今月の色ｃ区間の割合を計算する。ステップ１１６は、計算手段の動作の１例である。
【００６８】
ステップ１１８で、上記第２から第４の割合を計算するためのそれぞれの区間を識別する変数ｑを０に初期化する。ｑ＝１の場合には、第２の割合における朝食前後の区間を識別する。ｑ＝２では、朝食前から昼食前の区間を識別する。ｑ＝３の場合には、夕食後から次の日の朝食前の区間を識別する。
【００６９】
ステップ１２２で、今月の１ヶ月の中の各日を古い順に識別する変数ｄを０に初期化し、ステップ１２４で、変数ｄを１インクリメントする。
【００７０】
ステップ１２６で、日ｄの区間ｑ内の最も新しい血糖値データＤｎと最も古い血糖値データＤoとの差ΔＤを計算する。
【００７１】
ステップ１２８で、差ΔＤと、閾値ｄｔｈとを比較する。差ΔＤが閾値ｄｔｈより大きい場合（ΔＤ＞ｄｔｈ）には、ステップ１３０で、区間ｑの色として赤を記憶する。差ΔＤが０より小さい場合（ΔＤ＜０）には、ステップ１３２で、区間ｑの色として青を記憶する。差ΔＤが０以上でありかつ閾値ｄｔｈ以下の場合（０≦ΔＤ≦ｄｔｈ）には、ステップ１３４で、区間ｑの色として灰色を記憶する。
【００７２】
例えば、ｑ＝１により、朝食前後の区間が識別され、変数ｄ＝１により１１月１日を識別する場合には、図１３の管理テーブル６０Ａの内容から、ステップ１２６で、血糖値データＤｎとして時刻９：００に測定された２８０（ｍｇ／ｄｌ）と、血糖値データＤoとして時刻６：３０に測定された３５０（ｍｇ／ｄｌ）との差が−７０として計算される。この場合には、ステップ１３２で、図１８（Ａ）に示す朝食前後管理テーブル１５０ｑ１において１１月１日に対応する色の領域に青を記憶する。以下、同様に、各区間の各日に対応して、朝食前昼食前管理テーブル１５０ｑ２又は夕食後朝食前管理テーブル１５０ｑ３に色が記憶される。
【００７３】
ステップ１３６で、変数ｄが今月の日の総数Ｄに等しいか否かを判断する。変数ｄが総数Ｄに等しくない場合には、未だ、色を決定していない日があるので、ステップ１２４に戻って以上の処理（ステップ１２４〜１３６）を実行する。変数ｄが総数Ｄに等しい場合には、変数ｑにおける全ての日の区間の色が決定されたので、ステップ１３８で、１ヶ月分の区間ｑの色ｃの数をカウントして、今月の色ｃの区間ｑの割り合いを計算する。例えば、変数ｑ＝１の場合には、図１８（Ａ）の朝食前後管理テーブル１５０ｑ１内で色ｃの数をカウントし、今月の区間ｑの総数に対する割合を計算する。ステップ１３８は、計算手段の動作の１例である。
【００７４】
ステップ１４０で、変数ｑが第２の割合から第４の割合の各々に対応する上記テーブル（１５０ｑ１〜１５０ｑ３（図１８（Ａ）〜図１８（Ｃ）））の総数Ｑに等しいか否かを判断する。変数ｑが総数Ｑに等しくない場合には、未だ割合が計算されていない割合があるので、ステップ１２０に戻って、以上の処理（ステップ１２０〜ステップ１４０）を実行する。変数ｑが総数Ｑに等しい場合には、色ｃについて第１の割合から第４の割合を計算したので、ステップ１４２で、変数ｃがＣに等しいか否かを判断する。変数ｃがＣに等しくない場合には、未だ第１から第４の割合を計算していない色があるので、ステップ１１４に戻って、以上の処理（ステップ１１４〜１４２）を実行する。
【００７５】
変数ｃがＣに等しい場合には、全ての色について第１から第４の割合を計算したので、ステップ１４４で、各割合を先月との対応で次のように表示する。
【００７６】
図２０には、ステップ１４４で血糖値表示装置３０の表示装置３２に表示される割合表示画面１５２が示されている。割合表示画面１５２は、図２０に示すように、赤、青、灰色の各色に対応して、第１の割合（全体の割合）、第２の割合（朝食前後）、第３の割合（朝食前から昼食前）、及び第４の割合（夕食後から次の日の朝食前）を、先月の内容（割合テーブル１１０（図１７））、及び先月と今月との増加又は減少の傾向と共に表示する。例えば、１ヶ月全体の区間数に対する赤色区間の割合が先月には６０％であるのに対し、今月は５０％であり、傾向としては、−１０％が表示される。以下同様に各色について各第１から第４の割合が先月と今月との対応で表示する。
【００７７】
なお、割合表示画面１５２は、図１４に示す血糖値のグラフに代えて表示したり、血糖値のグラフの上に表示したり、血糖値のグラフの横に表示したり、してもよい。
【００７８】
ステップ１４６で、データを整理する。即ち、図１９に示す割合計算処理プログラムによって計算された各色の第１の割合から第４の割合を、図１７に示す対応する領域に上書きする。
【００７９】
次に、第２の実施の形態の効果を説明する。
ドクターが、図１４に示す血糖値のグラフのある区間において、赤色の密集具合や青色の密集具合が、健常人の傾向と異なると気づいた場合、例えば、画面上の上記割合ボタンがオンされることにより、赤色の割合や青色の割合を数値で明示する割合表示画面１５２（図２０）を表示する。こうすることで、例えば、図２０に示すように、赤色の区間の１ヶ月の全体の区間に対する割合は、先月６０％であったものが今月は５０％に、−１０％減っていることが数値で把握することができる。また、灰色線の比率が一定以上多い場合は血糖値の上下変動が安定しているなど、上記割合の算出値を血糖値のコントロール状態の変化の指標として扱うことができる。
【００８０】
算出した指標により、前回よりも良くなった又は悪くなったことと共に、その変化の度合いをカルテに記述しやすくなると共に、ドクターは、患者の血糖値のコントロール状態を把握（診断）することができる。
【００８１】
そして、ドクターは、インスリンの処方態様を決定できる。例えば、患者の血糖値のコントロールの異常をより明確に認識でき、例えば、インスリンの処方量及びインスリンの処方のタイミングを決定することができる。このように、第２の実施形態では、診断方法及びインスリン処方態様決定方法が提案される。
【００８２】
[第３の実施の形態]
次に第３の実施の形態を説明する。第３の実施の形態の構成は、第１の実施の形態の第２の変形例とほぼ同様であるので、以下、異なる点を説明する。
【００８３】
図２１には、血糖値表示装置３０の表示装置３２に表示される区間選択画面１５４が示されている。区間には、第１に、朝食前後、第２に、朝食前から昼食前、第３に夕食後から次の日の朝食前、第４に全体の４つの区間がある。区間選択画面１５４には、第１から第４の区間の何れかが選択される。区間選択画面１５４は、「受付手段」の１例である。
【００８４】
次に、第３の実施の形態の作用を説明する。第３の実施の形態の作用は、第１の実施の形態の第２の変形例の後に、更に以下の処理を実行する。
【００８５】
図２２には、第３の実施の形態における血糖値表示装置３０の記憶装置４６に記憶された血糖値表示プログラムが示されている。血糖値表示プログラムがスタートの指示があると、血糖値表示装置３０のＣＰＵ４０は、記憶装置４６（又はＲＯＭ４２）から血糖値表示プログラムを読み出してＲＡＭ４４に展開し、以下に説明する各処理を実行する。
【００８６】
ステップ１６０で、区間を選択する。即ち、ドクターは、マウス３８を操作して、区間選択画面１５４の４つの区間の中から所望の区間の選択を受け付ける。ステップ１６０は、受付手段の動作の１例である。
【００８７】
ステップ１６２で、１ヶ月の中の各日を古い順に識別する変数ｄを０に初期化し、ステップ１６４で、変数ｄを１インクリメントする。
【００８８】
ステップ１６６で、日ｄの選択された区間内の最も新しい血糖値データＤｎと最も古い血糖値データＤoとの差ΔＤを計算する。
【００８９】
ステップ１６８で、差ΔＤと、閾値ｄｔｈとを比較する。差ΔＤが閾値ｄｔｈより大きい場合（ΔＤ＞ｄｔｈ）には、ステップ１７０で、区間ｑの色として赤を記憶する。差ΔＤが０より小さい場合（ΔＤ＜０）には、ステップ１７２で、区間ｑの色として青を記憶する。差ΔＤが０以上でありかつ閾値ｄｔｈ以下の場合には、ステップ１７４で、区間ｑの色として灰色を記憶する。
【００９０】
例えば、ｑ＝１で、朝食前後の区間が識別され、変数ｄ＝１で１１月１日を識別する場合には、図１３の管理テーブル６０Ａの内容から、ステップ１６６で、血糖値データＤｎとして時刻９：００に測定された２８０（ｍｇ／ｄｌ）と、血糖値データＤoとして時刻６：３０に測定された３５０（ｍｇ／ｄｌ）との差が−７０として計算される。この場合には、ステップ１７２で、図２３に示す区間管理テーブル１８０において１１月１日に対応する色の領域に赤を記憶する。以下同様に各区間の各日に対応して色が記憶される。
【００９１】
ステップ１７６で、変数ｄが今月の日の総数Ｄに等しいか否かを判断する。変数ｄが総数Ｄに等しくない場合には、未だ、色を決定していない日があるので、ステップ１６４に戻って以上の処理（ステップ１６４〜１７６）を実行する。変数ｄが総数Ｄに等しい場合には、変数ｑにおける全ての日の区間の色が決定されたので、ステップ１７８で、各日の区間に対応する線の色を、記憶した色で１つのグラフに表示する。
【００９２】
例えば、図２１に示すように、区間選択画面１５４で朝食前後の区間が選択されたとする。図２４には、選択された区間が朝食前後の場合の血糖値のグラフが示されている。図２４に示すように、１ヶ月の各日における朝食前後の区間の血糖値の変化状態を示す線が、上記記憶された色に従った色、例えば、赤で表示される。
【００９３】
次に、第３の実施の形態の効果を説明する。
第３の実施の形態では、各患者の生活リズムに適合した朝食前、朝食後、昼食前、昼食後などの選択された時間帯において血糖値の上下変動を表示する。従って、ドクターは、患者の血糖値のコントロール状態を精度よく把握（診断）することができる。
【００９４】
そして、例えば、就寝前の値と朝食前の値を結ぶ直線が赤で密集する場合、ドクターは、ソモジー体質または暁現象を疑う。より詳細に説明すると、最近の患者は、夕食後すぐ寝てしまうので、通常は、就寝前の血糖値が高く、翌朝食前の空腹時血糖値は下がる傾向となる。これが、翌朝食前の空腹時血糖値が就寝前の血糖値より上がっている場合、ソモジー効果や暁現象などの現象が起こっているとドクターは予測する。よって、ドクターは、インスリンの処方態様、例えば、インスリンの処方量及びインスリンの処方のタイミングを決定することができる。よって、第３の実施形態では、診断方法及びインスリン処方態様決定方法が提案される。
【００９５】
第２の実施の形態では、第１の割合（全体の割合）、第２の割合（朝食前後）、第３の割合（朝食前から昼食前）、及び第４の割合（夕食後から次の日の朝食前）を一律に計算している。しかし、例えば、上記第３の実施の形態における図２１に示す血糖値表示装置３０の表示装置３２に表示される区間選択画面１５４から選択された区間の割合を計算して上記と同様に表示してもよい。
【００９６】
第２の実施の形態及び第３の実施の形態では、区間として、隣り合う２つの測定時刻により定まる区間、朝食前後の区間、朝食前から昼食前の区間、及び夕食後から次の日の朝食前の区間を例にとり説明している。しかし、選択する区間としてこれらに限定されない。例えば、次の通りである。
（１）朝食前後のように、ある食事の前後の区間としては、朝食前後の区間以外に、昼食前後や夕食前後の区間を用いてもよい。
（２）朝食前から昼食前の区間のように、ある食事の前から他の食事前までの区間としては、朝食前から昼食前の区間以外に、例えば、朝食前から夕食前の区間や昼食前から夕食前の区間を用いてもよい。
（３）ある食事の前から他の食事後までの区間、例えば、朝食前から昼食後や夕食後、昼食前から夕食後の区間等を用いてもよい。
（４）ある食事の前から就寝前までの区間、例えば、夕食前から就寝前までの区間、昼食前から就寝前の区間等を用いてもよい。
（５）ある食事の前から就寝後までの区間、例えば、夕食前から就寝後までの区間、昼食前から就寝後の区間等を用いてもよい。
（６）夕食後から次の日の朝食前のように、ある食事の後から他の食事前までの区間、夕食後から次の日の朝食前の区間以外に、例えば、朝食後から昼食前や夕食前、昼食後から夕食前の区間等を用いてもよい。
（７）ある食事の後から他の食事後までの区間、例えば、朝食後から昼食後や夕食後、昼食後から夕食後の区間等を用いてもよい。
（８）ある食事の後から就寝前までの区間、例えば、昼食後や夕食後から就寝前の区間等を用いてもよい。
（９）ある食事の後から就寝後までの区間、例えば、昼食後や夕食後から就寝後の区間等を用いてもよい。
（１０）就寝の前後の区間を用いてもよい。
（１１）就寝前からそれ以降の食事前までの区間、例えば、就寝前からそれ以降の朝食前や昼食前の区間等を用いてもよい。
（１２）就寝前からその翌日の朝食前までの区間を用いてもよい。
（１３）就寝前からそれ以降の食事後までの区間、例えば、就寝前からそれ以降の朝食後や昼食後の区間等を用いてもよい。
（１４）就寝前からそれ以降の就寝前までの区間、例えば、就寝前から次の日やその次の日の就寝前の区間等を用いてもよい。
（１５）就寝前からそれ以降の就寝後までの区間、例えば、就寝前から次の日やその次の日の就寝後の区間等を用いてもよい。
【００９７】
第３の実施の形態では、１ヶ月を基準に上記各割合を計算し表示している。更に、図１３に示す管理テーブルを、過去、例えば、２年分記憶しておき、例えば、２年、１年、半年等の例えば、選択された期間を基準に上記各割合を計算し表示してもよい。
【００９８】
[第４の実施の形態]
次に、第４の実施の形態を説明する。第４の実施の形態は、第１の実施の形態、第１の実施の形態の第１から第３の各の変形例、第２の実施の形態、及び第３の実施の形態の何れかの構成と同様であるので、その説明を省略する。
【００９９】
次に、第４の実施の形態の作用を説明する。第４の実施の形態の作用は、第１の実施の形態、第１の実施の形態の第１から第３の変形例の何れか、第２の実施の形態、第３の実施の形態の何れかの作用の他に、以下の内容を更に有する。
【０１００】
図２６（Ａ）及び図２６（Ｂ）に示すように、血糖値のグラフには、残す色の線を選択するための線選択画面２００を更に表示する。
【０１０１】
図２５には、血糖値表示装置３０の記憶装置４６（又はＲＯＭ４２）に記憶された残す色の線以外の線を消去する線消去プログラムが示されている。線消去プログラムがスタートの指示があると、血糖値表示装置３０のＣＰＵ４０は、記憶装置４６（又はＲＯＭ４２）から線消去プログラムを読み出してＲＡＭ４４に展開し、以下に説明する各処理を実行する。
【０１０２】
ステップ１９２で、ドクターは、マウス３８を操作して、線選択画面２００の中から、残す色の線を選択して、決定ボタンをオンする。
【０１０３】
ステップ１９２で、残す色以外の色の線を消去する。例えば、第１の実施の形態では、図７及び図２６（Ａ）に示す血糖値のグラフが表示される。この場合に、ステップ１９２で例えば、図２６（Ｂ）に示すように、線選択画面２００において、残す色の線として赤の線が選択された場合には、図２６（Ｂ）に示すように、残す色以外の色の線、即ち、青及び灰色の線が消去される。
【０１０４】
同様に、第３の実施の形態では、図２４及び図２７（Ｂ）に示すように、選択された朝食前後の区間の血糖値のグラフが示される。そして、ステップ１９２で、例えば、残す色の線として青の線が決定された場合には、図２７（Ｂ）に示すように、残す色以外の色の線、即ち、赤及び灰色の線が消去される。
【０１０５】
次に、第４の実施の形態の効果を説明する。第４の実施の形態では、見たい色の線のみを残し、他の線を隠す。例えば、赤色の線のみ残すよう、線選択画面２００上でボタン操作する。これにより、区間の血糖値の変動が見やすくなる。
【０１０６】
ドクターは、患者の血糖値のコントロール状態を精度よく把握（診断）することができる。そして、ドクターは、把握した患者の血糖値のコントロール状態に基づいて、インスリンの処方態様、例えば、インスリンの処方量及びインスリンの処方のタイミングを決定することができる。よって、第４の実施形態では、診断方法及びインスリン処方態様決定方法が提案される。
【０１０７】
第４の実施の形態では、全ての色の線を一旦表示した後、選択された線を隠すようにしているが、表示する色を選択し、選択された色の線のみを表示するようにしてもよい。
【０１０８】
[第５の実施の形態]
次に、第５の実施の形態を説明する。第５の実施の形態は、第１の実施の形態、第１の実施の形態の第１から第３の各の変形例、第２の実施の形態、第３の実施の形態、第４の実施の形態の何れかの構成と同様であるので、その説明を省略する。なお、血糖値表示装置３０は、判定結果報知装置の１例であり、ＣＰＵ４０は、取得手段及び判定手段の１例であり、表示装置３２は、報知手段の１例である。
【０１０９】
次に、第５の実施の形態の作用を説明する。第５の実施の形態の作用は、第１の実施の形態、第１の実施の形態の第１から第３の変形例の何れか、第２の実施の形態、第３の実施の形態の何れかの作用の他に、以下の内容を更に有する。
【０１１０】
第５の実施の形態では、患者の血糖値の変化状態から「暁現象」や「ソモジー効果」の発生を予測する例を示す。
【０１１１】
ここで、「暁現象」を説明する。「暁現象」は、朝食前の空腹時に高血糖となったり、毎朝の血糖値が不安定となったりする現象である。「暁現象」が起きる原因は、以下のように考えられる。人は体内時計に基づいて、夜中の３時頃から成長ホルモンの分泌が増える。成長ホルモンはインスリンの働きを阻害し、血糖値を上昇させる。通常はこの血糖値の上昇に伴い、午前４時以降インスリンの基礎分泌量が増えて、血糖値の上昇が抑えられる。しかし、糖尿病の１型の患者では、自身ではインスリンを分泌できないので、成長ホルモンによる血糖値の上昇を抑えることができず、血糖値が上昇する。更に、就寝前に注射したインスリンの作用が、徐々に弱くなるのが、午前４時以降である。よって、成長ホルモンの分泌による血糖値の上昇と、就寝前に注射したインスリンの作用が弱くなることによる血糖値の上昇とが重なり、血糖値の上昇が大きくなる。
【０１１２】
次に、「ソモジー効果」を説明する。「ソモジー効果」は、インスリン療法を行っている患者において、低血糖の後に反動的に血糖値が上昇する現象である。「ソモジー効果」が起きる原因は、以下のように考えられる。即ち、インスリン療法を行っている患者において、注射したインスリンの量が多い場合や食事の時間が遅れた場合には、低血糖になる。低血糖が起こると、血糖を上昇させるために、グルカゴンやアドレナリンなどのホルモンが分泌される。これらの分泌によって肝臓での糖の産生が増加し、また末梢組織で糖が利用されないようになり、血糖値が上昇する。一旦、糖の産生が始まると、必要量を超えても糖の産生はすぐには止まらないため、血糖値が引き続き上昇する。
【０１１３】
ここで、最近の患者は、夕食後すぐ就寝されることが多いので、通常は、就寝前の空腹時血糖値が高く、翌朝食前の空腹時血糖値は下がる傾向となる。これが、翌朝食前の空腹時血糖値が上がっている場合、ソモジーや暁現象が起こっている可能性があると予測できる。より詳細に説明すると以下の通りである。
【０１１４】
図２８（Ａ）には、「暁現象」か「ソモジー効果」の発生を予測する患者の血糖値のグラフが、図２８（Ｂ）には、「暁現象」や「ソモジー効果」の発生を予測しない患者の血糖値のグラフが示されている。
【０１１５】
図２８（Ｂ）に示すように、「暁現象」や「ソモジー効果」の発生を予測しない患者の場合には、１日の朝食前の空腹時の血糖値、具体的には、１日の最初の時刻データに対応する時ｐ１の血糖値は、その日の前の日の就寝前の血糖値、具体的には、その日の前の日の最後の時刻データに対応する時（ｐ６）の血糖値から、上昇はしているが上記閾値よりは小さく上昇している。よって、管理テーブル６０（図５参照）のこの区間には、灰色が記憶されている。
【０１１６】
これに対し、図２８（Ａ）に示すように、「暁現象」か「ソモジー効果」の発生を予測する患者の場合には、１日の朝食前の空腹時ｐ１（１日の最初の時刻データに対応する時）の血糖値は、その日の前の日の就寝前の時（ｐ６）（その日の前の日の最後の時刻データに対応する時）の血糖値から、上記閾値よりは大きく上昇している。よって、管理テーブル６０（図５参照）のこの区間には、赤が記憶されている。
【０１１７】
以上から、例えば、管理テーブル６０（図５参照）の、１日の最初の時刻データに対応する時と、その日の前の日の最後の時刻データに対応する時とにより定まる区間に、赤が記憶されているか否、また、当該赤の密集の程度がどの程度か、を判断することにより、「暁現象」や「ソモジー効果」の発生を予測することができる。
【０１１８】
ところで、「暁現象」や「ソモジー効果」が発生していない患者の場合であっても、何らかの原因で上記血糖値が閾値を超えて変化する場合があり、上記区間に赤がたまたま記憶されている場合もある。
【０１１９】
このような場合には、例えば、以下のようにして、１ヶ月（一定期間）で上記区間に赤が一定回数以上記憶されている場合に、「暁現象」や「ソモジー効果」の発生を予測するようにすることが可能である。
【０１２０】
図２９には、血糖値表示装置３０の記憶装置４６（又はＲＯＭ４２）に記憶された、「暁現象」や「ソモジー効果」の発生を予測する判定処理プログラムが示されている。判定処理プログラムのスタートの指示があると、血糖値表示装置３０のＣＰＵ４０は、記憶装置４６（又はＲＯＭ４２）から判定処理プログラムを読み出してＲＡＭ４４に展開し、以下に説明する各処理を実行する。なお、判定処理プログラムは、判定結果報知プログラムの１例であり、記憶装置４６又はＲＯＭ４２は、記録媒体の１例である。
【０１２１】
ステップ２０２で、１ヶ月の各日を識別する変数ｄを０に初期化すると共に、赤のカウント値を０に初期化し、ステップ２０４で、変数ｄを１インクリメントする。ステップ２０６で、管理テーブル６０（図５参照）から、変数ｄにより識別される日ｄの最初の時刻データと、その日の前の日（ｄ−１）の最後の時刻データとの間の区間の色を読み出す。なお、ステップ２０６の処理は、取得手段の処理の１例である。
【０１２２】
ステップ２０８で、上記読み出した色が赤か否かを判断する。なお、ステップ２０８の処理は、判定手段の処理の１例である。上記読み出した色が赤の場合には、ステップ２１０で、赤のカウント値Ｒを１インクリメントし、処理はステップ２１２に進む。一方、上記読み出した色が赤でない場合には、ステップ２１０をスキップして、処理はステップ２１２に進む。
【０１２３】
ステップ２１２で、変数ｄが１ヶ月分の日の総数Ｄであるか否かを判断する。変数ｄが総数Ｄでない場合には、未だ上記の色が赤か否かを判断していない日があるので、処理はステップ２０４に戻って以上の処理（ステップ２０４〜ステップ２１２）を再度実行する。
【０１２４】
変数ｄが総数Ｄの場合には、上記の色が赤か否かを１月に渡って判断したので、ステップ２１４で、赤のカウント値Ｒが所定値ＲＴＨ以上か否かを判断する。赤のカウント値Ｒが所定値ＲＴＨ以上の場合には、ステップ２１６で、表示装置３２の画面に「ソモジー効果」または「暁現象」の発生が予測されることを表示する。具体的には、その旨の文を表示したり、上記赤の線を点滅させたり、する。なお、スピーカーを備えて、その旨を音声で報知してもよい。
【０１２５】
赤のカウント値Ｒが所定値ＲＴＨ以上でない場合には、ステップ２１６で、表示装置３２の画面に当該事実を表示する。具体的には、その旨の文を表示したり、スピーカーを備えて、その旨を音声で報知したりしてもよい。
なお、ステップ２１６及びステップ２１８は、報知手段の１例である。
【０１２６】
以上説明したように、第５の実施の形態では、管理テーブル６０（図５参照）の、１日の最初の時刻データに対応する時と、その日の前の日の最後の時刻データに対応する時とにより定まる区間に、赤が記憶されているか否かを判断する。これにより、「暁現象」か「ソモジー効果」が患者に発生している可能性を予測することができる。少なくとも「暁現象」か「ソモジー効果」の発生を予測した場合には、その旨を表示し、閾値評価では数値上、発生を予測しない場合には、その旨を表示する。よって、「暁現象」か「ソモジー効果」の発生に関し、ドクターに注意喚起を促す表示をすることができる。
【０１２７】
よって、ドクターは、１日の最初の時刻データに対応する時と、その日の前の日の最後の時刻データに対応する時とにより定まる区間における血糖値の変化状態を検討し、「暁現象」か「ソモジー効果」の患者における発生を予測し、診断に利用できる。すなわち、この予測結果に基づいて、インスリンの処方態様、例えば、インスリンの処方量及びインスリンの処方のタイミングを検討・決定することができる。よって、第５の実施の形態では、診断方法及びインスリン処方態様決定方法が提案される。
【０１２８】
[各例の変形例]
以上説明した各例では、各区間を直線で表示しているが、各プロットした点に基づいて近似曲線で表示してもよい。人間の血糖値の変化は、曲線的に変化するので、グラフにおける血糖値の変化を人間の血糖値の変化に対応して表示することで、ドクターに違和感を生じさせないようにできる。
【０１２９】
以上説明した各例では、一定期間として１日を例にとり説明したが、一定期間は、例えば、１日のみ、又は、少なくとも２日、例えば、１週間、２週間、２ヶ月等としてもよい。
【０１３０】
また、以上説明した各例では、血糖値測定器１０と血糖値表示装置３０とをネットワークで接続し、血糖値表示装置３０は、血糖値測定器１０の記憶装置１８の各テーブルの内容を血糖値表示装置３０に、ネットワークを介して受信してもよい。なお、血糖値測定器１０は、記憶装置１８の各テーブルの内容を血糖値表示装置３０に無線で送信するようにしてもよい。
【０１３１】
更に、以上説明した各例では、血糖値表示装置３０は、血糖値のグラフを表示するだけでもよい。具体的には、まず、血糖値測定器１０は、データテーブル５０に代えて、記憶装置１８に管理テーブル６０（図５）を有し、血糖値測定器１０は、ステップ７２〜８６を実行し、血糖値測定器１０は、管理テーブル６０に各データを記憶する。血糖値表示装置３０は、血糖値測定器１０から、管理テーブル６０のデータを取得し、取得したデータに基づいて、血糖値のグラフを表示（ステップ８８）するだけでもよい。
【０１３２】
また、以上説明した各例では、血糖値測定器１０が血糖値表示処理７０（図６）を実行してもよい。なお、この場合、血糖値表示装置３０は不要となり、血糖値測定器１０が、本発明の「血糖値表示装置」の１例となる。
【０１３３】
更に、以上説明した各例では、血糖値の変化状態に応じて赤、青、及び灰色で区間の線を表示している。しかし、色で区別するのではなく、各線の外形や点滅状態を変えることにより異ならせることができる。例えば、外形としては、例えば、区間の線の種類、例えば、実線、点線、及び一点鎖線で区別したり、線の太さで区別したり、してもよい。また、点滅状態としては、区間の線を、継続表示、表示している時間と表示しない時間とが同じである第１の点滅表示、及び、表示している時間と表示しない時間との一方が他方より長い第２の点滅表示で区別してもよい。
【０１３４】
また、以上説明した各例では、血糖値の異なる複数の変化状態として３つの区間、即ち、血糖値の変化が閾値以上増加する第１の区間、血糖値が減少する第２の区間、及び血糖値の変化が閾値以上増加せずかつ血糖値が減少しない第３の区間を例にとり説明した。しかし、血糖値の異なる複数の変化状態としては第１の区間〜第３の区間に限定されない。複数の閾値を定める。例えば、まず、第１の閾値と第１の閾値より大きい第２の閾値とを定めておく。血糖値の変化が第１の閾値以上増加しかつ第２の閾値よりは増加しない区間、血糖値の変化が第２の閾値以上増加する区間、血糖値が減少する区間、及び血糖値の変化が第２の閾値以上増加せずかつ血糖値が減少しない区間を用いてもよい。また、第３の閾値と第３の閾値より大きい第４の閾値とを定めておき、血糖値が減少する区間について更に、血糖値の変化が第３の閾値以上減少しかつ第４の閾値よりは減少しない区間、血糖値の変化が第４の閾値以上減少する区間に分けてもよい。なお、上記のように血糖値が増加する区間を、第１の閾値と第２の閾値とを用いて２個の区間に分けることに限定されず、３以上の閾値を設けて３以上の複数の区間にわけてもよい。同様に、血糖値が減少する区間を、第３の閾値と第４の閾値とを用いて２個の区間に分けることに限定されず、３以上の閾値を設けて３以上の複数の区間にわけてもよい。
【０１３５】
更に、以上説明した各例では、１日に複数回測定した血糖値の変化状態を１本の線とし、１ヶ月間分、時間軸を共通にして１つのグラフに重ね合わせて同時に表示している。しかし、グラフを表示する時刻に最も近い１日の血糖値の変化状態を示す１本の線のみを表示してもよい。また、１ヶ月間分の各日の血糖値の変化状態を示す線を、例えば、古い順又は新しい順に１本ずつ表示してもよい。
【０１３６】
なお、上記各プログラムを記憶装置から読み出す場合を例示したが、必ずしも最初から記憶装置に記憶させておく必要はない。例えば、血糖値表示装置３０又は血糖値測定器１０に接続されて使用されるＳＳＤ（Solid State Drive）、ＤＶＤディスク、ＩＣカード、光磁気ディスク、ＣＤ−ＲＯＭなどの任意の「可搬型の記録媒体」に先ずは上記各プログラムを記憶させておいてもよい。そして、血糖値表示装置３０又は血糖値測定器１０がこれらの可搬型の記録媒体からは各プログラムを取得して実行するようにしてもよい。また、通信回線を介して血糖値表示装置３０又は血糖値測定器１０に接続される他のコンピュータ又はサーバ装置等の記憶部に上記各プログラムを記憶させておいてもよい。この場合、血糖値表示装置３０又は血糖値測定器１０は他のコンピュータ又はサーバ装置等から各プログラムを取得して実行する。
【０１３７】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【０１３８】
以上の各例に関し、更に以下の付記を開示する。
（付記１）
血糖値を複数回測定した一定期間内における前記血糖値の変化状態を表す情報を取得し、
前記取得した前記情報に基づいて、所定の血糖値の変化状態を表す区間における血糖値の推移を、当該区間以外の区間における血糖値の推移とは異なる表示態様で表示し、
前記一定期間は、複数の日を含み、
前記血糖値は各日において複数回測定され、
前記複数の日の各々に含まれる血糖値の推移を、時間軸を共通にして１つのグラフに表示する、
血糖値表示方法。
【０１３９】
（付記２）
前記区間は、前記血糖値の測定時刻により定まる、又は、食事との関係で定まる付記１に記載の血糖値表示方法。
【０１４０】
（付記３）
前記食事との関係で定まる前記区間は、ある食事の前後の区間、ある食事の前から他の食事前までの区間、ある食事の前から他の食事後までの区間、ある食事の前から就寝前までの区間、ある食事の前から就寝後までの区間、ある食事の後から他の食事前までの区間、ある食事の後から他の食事後までの区間、ある食事の後から就寝前までの区間、ある食事の後から就寝後までの区間、就寝の前後の区間、就寝前からそれ以降の食事前までの区間、就寝前からその翌日の朝食前までの区間、就寝前からそれ以降の食事後までの区間、就寝前からそれ以降の就寝前までの区間、及び就寝前からそれ以降の就寝後までの区間の中から選択されたいずれかの区間である付記２に記載の血糖値表示方法。
【０１４１】
（付記４）
前記血糖値を食事との関係でいつ測定したのかを示す食事関係情報を取得し、
前記取得した前記食事関係情報に基づいて、前記血糖値を食事との関係でいつ測定したのかを示す情報を、前記推移の表示に対応して表示する付記１〜付記３の何れか１項に記載の血糖値表示方法。
【０１４２】
（付記５）
前記変化状態は、前記区間における前記血糖値の変化と閾値とに基づいて定まり、
前記閾値を変化させる付記１〜付記４の何れか１項に記載の血糖値表示方法。
【０１４３】
（付記６）
前記所定の血糖値の変化状態を表す区間の全区間または一定の区間に対する割合を計算し、
前記計算された前記割合を表示する付記１〜付記５の何れか１項に記載の血糖値表示方法。
【０１４４】
（付記７）
前記計算された前記所定の血糖値の変化状態を表す区間の全区間または一定の区間に対する割合を記憶し、
前記所定の血糖値の変化状態を表す区間の割合を、前記一定期間より少なくとも１つ前の前記一定期間の前記記憶された割合と比較して表示する
付記６に記載の血糖値表示方法。
【０１４５】
（付記８）
前記所定の血糖値の変化状態を示す表示態様を選択し、
前記選択された表示態様以外の表示態様を消去する
付記１〜付記７の何れか１項に記載の血糖値表示方法。
【０１４６】
（付記９）
前記表示態様は、直線又は曲線である付記１〜付記８の何れか１項に記載の血糖値表示方法。
【０１４７】
（付記１０）
【０１４８】
前記所定の血糖値の変化状態として複数パターンの変化状態を想定し、各々の当該パターンに関し、当該変化状態を表す区間における血糖値の推移を、当該区間以外の区間における血糖値の推移とは異なる表示態様で表示する付記１〜付記９の何れか１項に記載の血糖値表示方法。
【０１４９】
（付記１１）
前記区間は、第１の時刻に測定した第１の血糖値と同じ区間の前記第１の時刻より後の第２の時刻に測定した第２の血糖値との差が閾値より大きい第１の区間、前記第２の血糖値が前記第１の血糖値より小さい第２の区間、前記差が前記閾値以下でかつ前記第２の血糖値が前記第１の血糖値以上の第３の区間の何れかである付記１〜付記１０の何れか１項に記載の血糖値表示方法。
【０１５０】
（付記１２）
コンピュータに、
血糖値を複数回測定した一定期間内における前記血糖値の変化状態を表す情報を取得し、
前記取得した前記情報に基づいて、所定の血糖値の変化状態を表す区間における血糖値の推移を、当該区間以外の区間における血糖値の推移とは異なる表示態様で表示する
処理を実行させるための血糖値表示プログラムであって、
前記一定期間は、複数の日を含み、
前記血糖値は各日において複数回測定され、
前記複数の日の各々に含まれる血糖値の推移を、時間軸を共通にして１つのグラフに表示する、
血糖値表示プログラム。
【０１５１】
（付記１３）
前記区間は、前記血糖値の測定時刻により定まる、又は、食事との関係で定まる付記１２に記載の血糖値表示プログラム。
【０１５２】
（付記１４）
前記食事との関係で定まる前記区間は、ある食事の前後の区間、ある食事の前から他の食事前までの区間、ある食事の前から他の食事後までの区間、ある食事の前から就寝前までの区間、ある食事の前から就寝後までの区間、ある食事の後から他の食事前までの区間、ある食事の後から他の食事後までの区間、ある食事の後から就寝前までの区間、ある食事の後から就寝後までの区間、就寝の前後の区間、就寝前からそれ以降の食事前までの区間、就寝前からその翌日の朝食前までの区間、就寝前からそれ以降の食事後までの区間、就寝前からそれ以降の就寝前までの区間、及び就寝前からそれ以降の就寝後までの区間の中から選択されたいずれかの区間である、
付記１３に記載の血糖値表示プログラム。
【０１５３】
（付記１５）
前記コンピュータに、
前記血糖値を食事との関係でいつ測定したのかを示す食事関係情報を取得し、
前記取得した前記食事関係情報に基づいて、前記血糖値を食事との関係でいつ測定したのかを示す情報を、前記推移の表示に対応して表示する
処理を更に実行させる付記１２〜付記１４の何れか１項に記載の血糖値表示プログラム。
【０１５４】
（付記１６）
前記変化状態は、前記区間における前記血糖値の変化と閾値とに基づいて定まる付記１２〜付記１５の何れか１項に記載の血糖値表示プログラム。
【０１５５】
（付記１７）
前記コンピュータに、
前記所定の血糖値の変化状態を表す区間の全区間または一定の区間に対する割合を計算し、
前記計算された前記割合を表示する
処理を更に実行させる付記１２〜付記１６の何れか１項に記載の血糖値表示プログラム。
【０１５６】
（付記１８）
前記コンピュータに、
前記計算された前記所定の血糖値の変化状態を表す区間の全区間または一定の区間に対する割合を記憶し、
前記所定の血糖値の変化状態を表す区間の割合を、前記一定期間より少なくとも１つ前の前記一定期間の前記記憶された割合と比較して表示する
処理を更に実行させる付記１７に記載の血糖値表示プログラム。
【０１５７】
（付記１９）
前記コンピュータに、
前記所定の血糖値の変化状態を示す表示態様を選択し、
前記選択された表示態様以外の表示態様を消去する
処理を実行させる付記１２〜付記１８の何れか１項に記載の血糖値表示プログラム。
【０１５８】
（付記２０）
前記表示態様は、直線又は曲線である付記１２〜付記１９の何れか１項に記載の血糖値表示プログラム。
【０１５９】
（付記２１）
前記コンピュータに、前記所定の血糖値の変化状態として複数パターンの変化状態を想定し、各々の当該パターンに関し、当該変化状態を表す区間における血糖値の推移を、当該区間以外の区間における血糖値の推移とは異なる表示態様で表示させる付記１２〜付記２０の何れか１項に記載の血糖値表示プログラム。
【０１６０】
（付記２２）
前記区間は、第１の時刻に測定した第１の血糖値と同じ区間の前記第１の時刻より後の第２の時刻に測定した第２の血糖値との差が閾値より大きい第１の区間、前記第２の血糖値が前記第１の血糖値より小さい第２の区間、前記差が前記閾値以下でかつ前記第２の血糖値が前記第１の血糖値以上の第３の区間の何れかである付記１２〜付記２１の何れか１項に記載の血糖値表示プログラム。
【０１６１】
（付記２３）
付記１２〜付記２２の何れか１項に記載の血糖値表示プログラムを記録した記録媒体。
【０１６２】
（付記２４）
血糖値を複数回測定した一定期間内の血糖値の変化状態を表す情報を取得する取得手段と、
前記取得した前記情報に基づいて、所定の血糖値の変化状態を表す区間における血糖値の推移を、当該区間以外の区間における血糖値の推移とは異なる表示態様で表示する表示手段と、
を備える血糖値表示装置であって、
前記一定期間は、複数の日を含み、
前記血糖値は各日において複数回測定され、
前記複数の日の各々に含まれる血糖値の推移を、時間軸を共通にして１つのグラフに表示する、
血糖値表示装置。
【０１６３】
（付記２５）
前記区間は、前記血糖値の測定時刻により定まる、又は、食事との関係で定まる付記２４に記載の血糖値表示装置。
【０１６４】
（付記２６）
前記食事との関係で定まる前記区間は、ある食事の前後の区間、ある食事の前から他の食事前までの区間、ある食事の前から他の食事後までの区間、ある食事の前から就寝前までの区間、ある食事の前から就寝後までの区間、ある食事の後から他の食事前までの区間、ある食事の後から他の食事後までの区間、ある食事の後から就寝前までの区間、ある食事の後から就寝後までの区間、就寝の前後の区間、就寝前からそれ以降の食事前までの区間、就寝前からその翌日の朝食前までの区間、就寝前からそれ以降の食事後までの区間、就寝前からそれ以降の就寝前までの区間、及び就寝前からそれ以降の就寝後までの区間の中から選択されたいずれかの区間である、
付記２５に記載の血糖値表示装置。
【０１６５】
（付記２７）
前記取得手段は、前記血糖値を食事との関係でいつ測定したのかを示す食事関係情報を取得し、
前記表示手段は、前記取得した前記食事関係情報に基づいて、前記血糖値を食事との関係でいつ測定したのかを示す情報を、前記推移の表示に対応して表示する付記２４〜付記２６の何れか１項に記載の血糖値表示装置。
【０１６６】
（付記２８）
前記変化状態は、前記区間における前記血糖値の変化と閾値とに基づいて定まる付記２４〜付記２７の何れか１項に記載の血糖値表示装置。
【０１６７】
（付記２９）
前記所定の血糖値の変化状態を表す区間の全区間または一定の区間に対する割合を計算する計算手段を更に備え、
前記表示手段は、前記計算された前記割合を表示する
付記２４〜付記２８の何れか１項に記載の血糖値表示装置。
【０１６８】
（付記３０）
前記計算された前記所定の血糖値の変化状態を表す区間の全区間または一定の区間に対する割合を記憶する割合記憶手段を更に備え、
前記表示手段は、前記所定の血糖値の変化状態を表す区間の割合を、前記一定期間より少なくとも１つ前の前記一定期間の前記記憶された割合と比較して表示する
付記２９に記載の血糖値表示装置。
【０１６９】
（付記３１）
前記複数の変化状態の何れかの選択を受け付ける受付手段を更に備え、
前記表示手段は、前記選択された表示態様以外の表示態様を消去する
付記２４〜付記３０の何れか１項に記載の血糖値表示装置。
【０１７０】
（付記３２）
前記表示態様は、直線又は曲線である付記２４〜付記３１の何れか１項に記載の血糖値表示装置。
【０１７１】
（付記３３）
前記所定の血糖値の変化状態として複数パターンの変化状態を想定し、前記表示手段は、各々の当該パターンに関し、当該変化状態を表す区間における血糖値の推移を、当該区間以外の区間における血糖値の推移とは異なる表示態様で表示する付記２４〜付記３２の何れか１項に記載の血糖値表示装置。
【０１７２】
（付記３４）
前記区間は、第１の時刻に測定した第１の血糖値と同じ区間の前記第１の時刻より後の第２の時刻に測定した第２の血糖値との差が閾値より大きい第１の区間、前記第２の血糖値が前記第１の血糖値より小さい第２の区間、前記差が前記閾値以下でかつ前記第２の血糖値が前記第１の血糖値以上の第３の区間の何れかである付記２４〜付記３３の何れか１項に記載の血糖値表示装置。
【０１７３】
（付記３５）
血糖値を測定すると共に前記測定された血糖値及び前記血糖値を測定した時刻を記憶する血糖値測定装置と、
付記２４〜付記３４の何れか１項に記載の血糖値表示装置と、
を備え、
前記所定区間の内容を表す情報は、前記血糖値測定装置により一定期間内に血糖値が複数回測定されて前記血糖値測定装置に記憶された前記血糖値及び前記時刻に基づく
血糖値表示システム。
【０１７４】
（付記３６）
付記１〜付記３５の何れか１項の前記表示された前記区間における血糖値の推移に基づいて、前記血糖値が測定された患者の血糖値のコントロール状態を把握する
診断方法。
【０１７５】
（付記３７）
付記１〜付記３５の何れか１項の前記表示された前記区間における血糖値の推移に基づいて、前記血糖値が測定された患者の血糖値のコントロール状態を把握し、
前記把握された前記患者の血糖値のコントロール状態に基づいて、前記患者へのインスリンの処方態様（処方量及び処方タイミング）を決定する
インスリンの処方態様決定方法。
【０１７６】
（付記３８）
所定の日の夕食後でかつ就寝前に測定された血糖値と、前記所定の日の次の日の朝食前に測定された血糖値との変化状態を示す情報を取得し、
前記取得した情報に基づいて、暁現象かソモジー効果の発生を予測できるか否かを判定し、
前記判定の結果を報知する
判定結果報知方法。
【０１７７】
（付記３９）
コンピュータに、
所定の日の夕食後でかつ就寝前に測定された血糖値と、前記所定の日の次の日の朝食前に測定された血糖値との変化状態を示す情報を取得し、
前記取得した情報に基づいて、暁現象かソモジー効果の発生を予測できるか否かを判定し、
前記判定の結果を報知する
処理を実行させるための判定結果報知プログラム。
【０１７８】
（付記４０）
付記３９に記載の判定結果報知プログラムを記録した記録媒体。
【０１７９】
（付記４１）
所定の日の夕食後でかつ就寝前に測定された血糖値と、前記所定の日の次の日の朝食前に測定された血糖値との変化状態を示す情報を取得する取得手段と、
前記取得した情報に基づいて、暁現象かソモジー効果の発生を予測できるか否かを判定する判定手段と、
前記判定の結果を報知する報知手段と、
を備えた判定結果報知装置。
【０１８０】
（付記４２）
付記１〜付記３５の何れか１項の前記表示された前記所定の血糖値の変化状態を表す区間における血糖値の推移と、付記３８〜付記４１の何れか１項の前記報知された前記判定結果と、に基づいて、暁現象かソモジー効果の発生を予測できるか否かを判定する診断方法。
【０１８１】
（付記４３）
付記１〜付記３５の何れか１項の前記表示された前記所定の血糖値の変化状態を表す区間における血糖値の推移と、付記３８〜付記４１の何れか１項の前記報知された前記判定結果と、に基づいて、暁現象かソモジー効果の発生を予測できるか否かを判定し、
前記判定結果に基づいて、前記患者へのインスリンの処方態様（処方量及び処方タイミング）を決定する
インスリンの処方態様決定方法。
【符号の説明】
【０１８２】
１０          血糖値測定器
１２          センサ
１４          表示装置
１６          キーボード
１６Ｃ        下降キー
１６Ａ        選択キー
１６Ｂ        上昇キー
１８          記憶装置
２０          データ出力装置
２２          マイクロコンピュータ
３０          血糖値表示装置
３２          表示装置
３４          コンピュータ本体
３６          キーボード
３８          マウス
４１          バス
４６          記憶装置
５０          データテーブル
５０Ａ        データテーブル
５０Ｂ        データテーブル
６０          管理テーブル
６０Ａ        管理テーブル
９６          閾値減少指示ボタン
１００        測定タイミング選択画面
１１０        割合テーブル
１５０ｑ１    朝食前後管理テーブル
１５０ｑ２    朝食前昼食前管理テーブル
１５０ｑ３    夕食後朝食前管理テーブル
１５２        割合表示画面
１５４        区間選択画面
１８０        区間管理テーブル
２００        消去線選択画面
【図１】
2016133890.tif 000003
【図２】
2016133890.tif 000004
【図３】
2016133890.tif 000005
【図４】
2016133890.tif 000006
【図５】
2016133890.tif 000007
【図６】
2016133890.tif 000008
【図７】
2016133890.tif 000009
【図８】
2016133890.tif 000010
【図９】
2016133890.tif 000011
【図１０】
2016133890.tif 000012
【図１１】
2016133890.tif 000013
【図１２】
2016133890.tif 000014
【図１３】
2016133890.tif 000015
【図１４】
2016133890.tif 000016
【図１５】
2016133890.tif 000017
【図１６】
2016133890.tif 000018
【図１７】
2016133890.tif 000019
【図１８】
2016133890.tif 000020
【図１９】
2016133890.tif 000021
【図２０】
2016133890.tif 000022
【図２１】
2016133890.tif 000023
【図２２】
2016133890.tif 000024
【図２３】
2016133890.tif 000025
【図２４】
2016133890.tif 000026
【図２５】
2016133890.tif 000027
【図２６】
2016133890.tif 000028
【図２７】
2016133890.tif 000029
【図２８】
2016133890.tif 000030
【図２９】
2016133890.tif 000031